(57)【特許請求の範囲】
【請求項１】
ケーブル接続用のコネクタであって、
ケーブルの芯線を挿入し電気接続するためのターミナル端子と、前記挿入した芯線を前記ターミナル端子に向けて付勢するための弾性部材と、前記弾性部材を内蔵する樹脂製のハウジングとを有し、
前記弾性部材は基部と、当該基部から、前記挿入した芯線の先端側に向けて交差配設した係止片を有し、
前記係止片は先端側が自由端であり、前記先端より基部側に前記芯線の側部に係止するための係止部を有し、
前記ハウジングは、前記係止片が起立方向に移動するのを規制した起立規制部を有し、
前記係止片の自由端部は円弧状の曲げ部を有し、
前記起立規制部は前記係止片の自由端部側から前記芯線の抜け方向側に向けて内側方向に傾斜させた斜面部となっていることを特徴とするコネクタ。
【請求項２】
前記係止部は、前記係止片を切り起こし、係止部側を前記芯線の抜け方向側に折り曲げたエッジ部になっていることを特徴とする請求項１記載のコネクタ。
【発明の詳細な説明】
【技術分野】
【０００１】
本発明は、ケーブルを電気接続するためのコネクタに関し、特にケーブルの芯線を挿入接続するコネクタの芯線の抜け防止構造に係る。
【背景技術】
【０００２】
例えば、特許文献１にケーブルの芯線を挿入し挟持部とくさび部の２ヶ所で接続する端子台を開示するが、くさび部の復帰力を強くすることで芯線の抜け強度を強くすることができるが、それは逆に芯線の挿入作業が大変である相反する技術的課題があった。
そこで本発明者らは、芯線の挿入接続性を確保しながら芯線の抜け防止を図り、接続信頼性の向上を図ることを検討し、本発明に至った。
【先行技術文献】
【特許文献】
【０００３】
【特許文献１】特開平９−２４５８６２号公報
【発明の概要】
【発明が解決しようとする課題】
【０００４】
本発明は、ケーブルの挿入接続性に優れ、且つ、ケーブルの抜け方向に対する規制手段を有し、接続信頼性の高いコネクタの提供を目的とする。
【課題を解決するための手段】
【０００５】
本発明に係るコネクタは、ケーブル接続用のコネクタであって、ケーブルの芯線を挿入し電気接続するためのターミナル端子と、前記挿入した芯線を前記ターミナル端子に向けて付勢するための弾性部材と、前記弾性部材を内蔵する樹脂製のハウジングとを有し、前記弾性部材は基部と、当該基部から、前記挿入した芯線の先端側に向けて交差配設した係止片を有し、前記係止片は先端側が自由端であり、前記基部に向けて前記芯線の側部に係止するための係止部を有し、前記ハウジングは、前記係止片が起立方向に移動するのを規制した起立規制部を有することを特徴とする。
ここでケーブルの芯線を挿入するとは、ケーブルの先端部の絶縁被覆部を剥離して芯線を露出させ、この芯線をターミナル端子と、弾性部材に設けた係止片の係止部との間に差し込むように挿入することをいう。
本発明では、係止片が挿入された芯線に対して、この芯線の先端方向に向けて交差するように配設され、係止片の先端が自由端で、この交差配置した係止片の途中に係止部を設けてある。
これにより、ケーブルに抜け方向の力が加わり、係止片が斜めの状態から起立方向に立ち上がるように移動するとターミナル端子と係止部との間が開きケーブルの芯線が抜けやすくなるが、本発明では係止片が起立するように移動（回動）するのを起立規制部にて規制したので芯線の耐抜け強度が高い。
【０００６】
本発明において、前記係止片の自由端部は円弧状の曲げ部を有し、前記起立規制部は前記係止片の自由端部側から前記芯線の抜け方向側に向けて内側方向に傾斜させた斜面部となっていてもよい。
このようにすると芯線に引き抜き方向の力が負荷されて、係止片が起立方向に立ち上がるように移動しようとするが、係止片の自由端部側が上記起立規制部を構成する斜面部に当接し、係止部をターミナル側に向けて押圧する分力が働く。
【０００７】
また、本発明において、前記係止部は、前記係止片を切り起こし、係止部側を前記芯線の抜け方向側に折り曲げたエッジ部になっていてもよい。
このようにすると、エッジ状の係止部が芯線の側部にくい込むように作用し、さらに芯線の抜け方向に対する係止力が働く。
【発明の効果】
【０００８】
本発明に係るコネクタにおいては、接続したケーブルに芯線の抜け方向の力が加わっても、斜めに配設した係止片が起立方向に立ち上がるのを起立規制部が規制し、その動きを抑えるので芯線が抜けるのを防止する。
【図面の簡単な説明】
【０００９】
【図１】本発明に係るコネクタの断面図を示す。
【図２】本発明に係るターミナル端子及び弾性部材の斜視図を示す。
【発明を実施するための形態】
【００１０】
本発明に係るコネクタの構造例を以下、図面に基づいて説明するが、本発明は本実施例に限定されない。
【００１１】
本発明に係るコネクタは各種電源機器や電子機器にケーブルを電気接続するのに用いることができる。
例えば、太陽光発電等の分野においてパワーコンディショナーに対する電源ケーブルの接続用コネクタに用いることができる。
【００１２】
図１に、本発明に係るコネクタの断面図を示す。
樹脂製のハウジング１０はケーブル１の芯線１ａの挿入孔１２を有し、これに対応して内部に電気接続用のターミナル端子２０と、このターミナル端子に向けてケーブルの芯線を側部から押圧付勢するための弾性部材３０が内蔵されている。
本実施例では、ターミナル端子２０の下面とハウジング１０の間に挟み込むように弾性部材３０の基部３１をハウジングの装着部１５に装着し、この基部３１から図１では下側に折り返した折返部３２を形成し、その先をさらにコネクタの内部の奥側に向けて斜め上方に折り返した係止片３３を形成してある。
本実施例では、基部３１の内部側から下側にて挿入孔１２側に向けて折り返した第１弾性片３２ａを設け、その先をさらに上方に向けて折り返した第２弾性片３２ｂからなる折返部３２になっているが、弾性部材３０は挿入された芯線とその先端側に向けて斜めに交差する係止片３３を有するものであれば本実施例に限定されない。
上方斜めに折り返した第２弾性片が本発明における係止片３３を構成し、係止片３３の上側先端が自由端部３４になっており、この係止片３３の途中に係止部３３ａを有する。
係止部３３ａの形成方法としては、係止片３３から側方に突起状に係止部３３ａを突設した形態、係止片３３の側部を略コ字形状等に切り欠いた形態等でもよい。
本実施例では図２に示すように係止片３３の途中を略ロ字形状に切り抜き、門構え状の差込部３２ｃを形成し、この差込部３２ｃに芯線１ａを差し込み挿入すると開口部の上側縁部が芯線１ａの側部に係止する係止部３３ａになる例になっている。
これにより、ケーブル１の芯線１ａをハウジング１０の挿入孔１２を経由して差込部３２ｃに差し込むと、ターミナル端子２０の上面と係止片３３に設けた係止部３３ａとの間に差し込まれ、係止片３３の下方向の復帰力にて芯線１ａが弾性係止される。
なお、芯線１ａを差し込む際には第１弾性片３２ａが上方に向けて弾性変形し、係止部３３ａとターミナル端子２０の上面との間隔が開くようになるので芯線１ａの差し込み作業が容易となるが、この第１弾性片３２ａを下面側から少し押し上げる機構（手段）を設けてもよい。
ターミナル端子２０は基板や他の機器に接続するためのものであり、本実施例では図２に示すように側壁部２２と接続端子２１を有している。
【００１３】
係止片３３は基部３１側の折返部３２から挿入された芯線１ａの先端側に向けて斜め鋭角に交差するように配設され、先端部側が自由端部３４となり、係止片３３の途中に係止部３３ａを形成してあるので、芯線１ａに抜き方向の力が加わると次のように作用する。
芯線１ａの側部に係止している係止部３３ａが挿入孔１２側（芯線の引き抜き方向）に移動する力が生じる。
これにより、係止片３３が起立方向に立ち上がるように回動移動し、係止部３３ａとターミナル端子２０の上面との間が開き、芯線１ａが抜けやすくなる恐れがあるが、本発明では係止片３３の立ち上がりを防止すべく、自由端部３４が当接する起立規制部１１をハウジング１０に設けた。
本実施例では、ハウジング１０の内側にハウジングと一体的に傾斜面からなる起立規制部１１を設けた例になっているが、係止片の起立を防止できれば構造に制限はない。
起立規制部１１は、係止片３３の自由端部３４側から内側方向であってケーブルの挿入孔１２側に向けて傾斜させた斜面部に形成してあるので、この斜面部に係止片３３の自由端部３４が当接すると、図１に矢印で示したように係止部３３ａを芯線１ａに向けて押し付ける分力が生じ、芯線１ａの係止力がアップする。
本実施例では自由端部３４に円弧状の曲げ部３４ａを形成し、斜面部での下方向の分力が発生しやすくなっている。
また、係止部３３ａは差込部３２ｃの開口上側の縁部を挿入孔１２側に向けて少し折り曲げた曲げ部３３ｂを形成したエッジ状の係止部３３ａになっており、係止片の立ち上がりに対して芯線の側部にくい込みやすくなっている。
さらには、ハウジング１０に芯線１ａの挿入を確認するための確認窓１３を形成した例になっている。
【符号の説明】
【００１４】
１        ケーブル
１ａ      芯線
１０      ハウジング
１１      起立規制部
１２      挿入孔
１３      確認窓
１５      装着部
２０      ターミナル端子
３０      弾性部材
３１      基部
３２      折返部
３２ａ    差込部
３３      係止片
３３ａ    係止部
３４      自由端部
【図１】
0006369793.tif 000002
【図２】
0006369793.tif 000003